(57)【要約】【課題】授乳時の機能性および使いやすさを実現する。【解決手段】授乳服１は、衣料本体部４３とケープ部２０とを有する。衣料本体部４３には、授乳時に乳房を外部に露出可能な授乳口１４が形成される。ケープ部２０は、授乳時に授乳口１４を覆うケープ本体部２３と、ケープ本体部２３の下部に設けられ、衣料本体部４３の下部側に連結可能な下部側連結部２１と、ケープ本体部の上部に設けられ、授乳時に、乳房より上部側で係止される上部側係止部２２とで形成される。【選択図】図１
2014156663.tif 000002
【特許請求の範囲】
【請求項１】
授乳時に乳房を外部に露出可能な授乳口が形成された衣料本体部を有する上半身用衣料であって、
授乳時に前記授乳口を覆うケープ本体部と、
前記ケープ本体部の下部に設けられ、前記衣料本体部の下部側に連結する下部側連結部と、
前記ケープ本体部の上部に設けられ、授乳時に、前記乳房より上部側で係止される上部側係止部
とで形成されるケープ部
を備えることを特徴とする上半身用衣料。
【請求項２】
前記下部側連結部と前記上部側係止部により、前記ケープ本体部と前記衣料本体部との間に、授乳中の乳児が収まる空間が形成される構成である
ことを特徴とする請求項１に記載の上半身用衣料。
【請求項３】
前記衣料本体部の首周り周縁部と、前記ケープ部の首周り周縁部との間に、前記乳児を視認するための開口部が形成可能である
ことを特徴とする請求項２に記載の上半身用衣料。
【請求項４】
前記ケープ部の下部側連結部から前記ケープ部の首周り周縁部の端縁部までの長さは、
前記衣料本体部の前記下部側連結部と連結する部分から、前記衣料本体部の授乳口の上端部までの長さより長い
ことを特徴とする請求項１ないし３のいずれか１項に記載の上半身用衣料。
【請求項５】
前記ケープ部の授乳者の一方の肩に対応する部分の長さは、前記衣料本体部の肩縫い部の長さよりも長い
ことを特徴とする請求項１ないし４のいずれか１項に記載の上半身用衣料。
【請求項６】
前記ケープ部は、授乳者の首後部に掛けるための首掛け部を有し、
前記上部側係止部は、前記首掛け部である
ことを特徴とする請求項１ないし４のいずれか１項に記載の上半身用衣料。
【請求項７】
前記ケープ部は、前記衣料本体部から着脱可能である
ことを特徴とする請求項１ないし６のいずれか１項に記載の上半身用衣料。
【発明の詳細な説明】
【技術分野】
【０００１】
本発明は、授乳時に乳房を外部に露出可能な授乳口が形成された衣料本体部を有する上半身用衣料に関する。
【背景技術】
【０００２】
乳児への授乳のために、授乳者が場所を問わず授乳できる授乳服やケープが普及している（特許文献１および２参照）。
【０００３】
特許文献１に記載の授乳服は、乳房位置まで達する襟ぐり開口部を設け、この襟ぐり開口部の内部に、内部前身頃を備える。この内部前身頃を襟ぐり開口部から引き出し、襟ぐり開口部から出された乳房を内部前身頃で隠して授乳する。
【０００４】
特許文献２に記載の授乳用のケープは、ケープの上縁部に、覗き口形成用の保形部を備える。
【先行技術文献】
【特許文献】
【０００５】
【特許文献１】特開２００４−２４５４８１号公報
【特許文献２】登録実用新案第３１４４３０７号公報
【発明の概要】
【発明が解決しようとする課題】
【０００６】
授乳時の衣類について、機能性および利便性の両方を備えることが求められるところ、機能性および利便性を実現可能な衣類は存在していないのが実情である。
【０００７】
例えば上記特許文献１に記載の授乳服では、襟ぐり開口部から内部前身頃を持ち出すことにより乳房を隠すことができる。しかしながら、授乳中の乳児の様子を確認することはできず、また確認したとしても、乳房が露出してしまう可能性があり、機能性が欠ける場合がある。
【０００８】
また上記特許文献２に記載のケープは、保形部により覗き口が形成されるので、授乳中の乳児の様子を確認することができる。しかしながら、外出時にケープを携帯したり、授乳時にケープを取り出して着用するなど、授乳者の利便性が欠ける場合がある。
【０００９】
従って本発明の目的は、機能性および利便性を実現する授乳用の上半身用衣料を提供することである。
【課題を解決するための手段】
【００１０】
上記課題を解決するために、本発明の特徴は、授乳時に乳房を外部に露出可能な授乳口が形成された衣料本体部を有する上半身用衣料に関する。本発明の特徴に係る上半身用衣料は、ケープ本体部と、下部側連結部と、上部側連結部で形成されるケープ部を備える。ケープ本体部は、授乳時に授乳口を覆う。下部側連結部は、ケープ本体部の下部に設けられ、衣料本体部の下部側に連結可能である。上部側係止部は、ケープ本体部の上部に設けられ、授乳時に、乳房より上部側で係止される。
【発明の効果】
【００１１】
本発明によれば、機能性および利便性を実現する授乳用の上半身用衣料を提供することができる。
【図面の簡単な説明】
【００１２】
【図１】本発明の実施の形態に係る授乳服と、ケープ部の図である。
【図２】本発明の実施の形態に係る授乳服の衣料本体部とケープ部の図である。
【図３】本発明の実施の形態に係る授乳服を、授乳者が着用した前上半身を説明する図である。
【図４】本発明の実施の形態に係る授乳服を、授乳者が着用して乳児に授乳する状態を説明する図である。
【図５】本発明の実施の形態に係る授乳服のケープ部のケープサイド連結部を説明する図である。
【図６】本発明の実施の形態に係る授乳服を、ケープ部を係止することなく着用した状態を説明する図である。
【図７】本発明の実施の形態に係る授乳服を、授乳者が着用した後上半身を説明する図である。
【図８】本発明の実施の形態に係る授乳服のケープ部の縫着前の図である。
【図９】本発明の第１の変形例に係る授乳服の図である。
【図１０】本発明の第１の変形例に係る授乳服において、ケープ部の配設を変更した図である。
【図１１】本発明の第２の変形例に係る授乳服の図である。
【図１２】本発明の第３の変形例に係る授乳服の図である。
【図１３】本発明の第４の変形例に係る授乳服の図である。
【図１４】本発明の第５の変形例に係る授乳服の図である。（その１）
【図１５】本発明の第５の変形例に係る授乳服の図である。（その２）
【発明を実施するための形態】
【００１３】
次に、図面を参照して、本発明の実施の形態を説明する。以下の図面の記載において、同一または類似の部分には同一または類似の符号を付している。
【００１４】
本発明の実施の形態において「乳児」は、授乳対象となる人である。また、「授乳者」は、乳児に授乳する人であって、本発明の実施の形態に係る授乳服１の着用者である。
【００１５】
（実施の形態）
本発明の実施の形態に係る授乳服１を説明する。授乳服１は、授乳者が着用する上半身用衣料である。授乳服１は、授乳時の機能性および利便性と、非授乳時のデザイン性とを実現する。
【００１６】
図１に示すように、授乳者が着用する授乳服１は、衣料本体部４３と、衣料本体部４３に下部側を連結するケープ部２０を備える。図１に示す授乳服１は、衣料本体部４３が、ロールアップの半袖Ｔシャツの場合を説明するが、長袖またはノースリーブの上半身衣類、キャミソール、襟のあるシャツなどでも良い。
【００１７】
衣料本体部４３は、図２に示すように、授乳時に、授乳者の乳房を外部に露出可能な授乳口１４を備える。授乳口１４は、右授乳口１４Ａおよび左授乳口１４Ｂを備える。右授乳口１４Ａおよび左授乳口１４Ｂは、それぞれ左右の乳房の乳頭を、外部に露出可能な位置に設けられている。
【００１８】
図１に示すように、衣料本体部４３の下端に、ケープ部２０の下端が連結する。このケープ部２０の中間高さ位置における左右方向の幅寸法は、図１および図２に示すように、衣料本体部４３における中間高さ位置の左右方向の幅寸法とほぼ等しく形成される。授乳者が授乳服１を着用する際、図３に示すように、ケープ部２０が、乳房より上部側から係止されることにより、衣料本体部４３の授乳口１４をケープ部２０の中間高さ位置の部分において覆い隠すことができる。またケープ部２０は、授乳者の前上半身でドレープを形成するゆとりを有する。
【００１９】
本発明の実施の形態においてケープ部２０は、授乳者の首後部に掛けるための首掛け部２８を有する。授乳者は、この首掛け部２８を授乳者の頭部に通し、図３に示すように、首まわり位置にケープ部２０を配設して係止する。このような授乳服１は、首まわりにスカーフやストールを巻くスタイルが流行している場合に好適である。ケープ部２０を首まわり位置で係止しても、衣料本体部４３とケープ部２０とが一体をなし、ケープをまとっているという違和感なく、公衆に受け入れられやすい。日常的に着用しても違和感がなくデザインの優れた授乳服１により、適宜授乳することができる。
【００２０】
授乳服１は、ケープ部２０の下部を衣料本体部４３の下部に連結して形成され、ケープ部２０の上部に設けられた首掛け部２８を授乳者の首に通す。またケープ部２０はゆとりを有するので、授乳服１は、図４に示すように、ケープ部２０と衣料本体部４３との間に、授乳中の乳児が収まる空間が形成される構成である。授乳者はこの空間内で、乳児を抱え、授乳する。
【００２１】
ケープ部２０は透過性の低いまたは不透過の布地で形成され、ケープ部２０は、乳児の頭部と、授乳者の乳房を、外部から隠す。また、ケープ部２０はゆとりを有しているので、授乳者は、授乳中の乳児の頭部を覆うように、ケープ部２０を適宜移動し、乳児の位置、大きさ、授乳体勢などにかかわらず、授乳することができる。より適切に乳児の頭部を覆うために、ケープ部２０は、柔軟性と伸縮性を備えることが好ましい。
【００２２】
授乳時は、図４に示すように、衣料本体部４３とケープ本体部２３との間の前中心近傍に、開口部２６が形成される。この開口部２６より、授乳者は、授乳中の乳児を視認することができる。図３および図４に示すように、開口部２６は、授乳者の乳房位置よりも高い位置に形成されるので、ケープ部２０は、乳児の頭部および授乳者の乳房を覆い隠すことができる。ケープ部２０は、授乳中の開いた授乳口１４も覆い隠す。
【００２３】
（衣料本体部）
図２を参照して、本発明の実施の形態に係る授乳服１の衣料本体部４３を説明する。衣料本体部４３は、前身頃部１０、袖身頃部４１（４１Ａおよび４１Ｂ）、後身頃部４２、および連結部３０を有する。図１に示す例において前身頃部１０は、右前身頃部１１、左前身頃部１２およびカバー部１３を備える。
【００２４】
右前身頃部１１は授乳者の右上半身を覆い、左前身頃部１２は授乳者の左上半身を覆う。右前身頃部１１および左前身頃部１２は、前中心の近傍で前ボタン部１５により互いに開閉可能である。図２に示す例では、右前身頃部１１にボタンホールを設け、ボタンホールに対応して左前身頃部１２にボタンを縫い付けることにより、前ボタン部１５が形成される。前ボタン部１５が前中心の近傍、より具体的には両乳房の中央付近に設けられるが、これに限られない。授乳時に左右の両乳房を露出することができれば、前ボタン部１５が、どのような位置に設けられても良い。
【００２５】
カバー部１３は、授乳口１４を形成する。カバー部１３は、衣料本体部４３の首周り周縁部４４および連結部３０に縫着するとともに、前右身頃部１１および左前身頃部１２に縫着する。カバー部１３の左右方向の幅は、授乳者の左右の乳頭位置の幅と略同一である。カバー部１３の右端において、授乳者の右乳房近傍に対応する部分は縫着されず、右乳房位置より上部および下部が、右前身頃部１１に縫着される。これにより、右前身頃部１１とカバー部１３との間の右乳房近傍に、右授乳口１４Ａが形成される。同様に、カバー部１３の左端において、授乳者の左乳房近傍に対応する部分は縫着されず、左乳房位置より上部および下部が、左前身頃部１２に縫着される。これにより、左前身頃部１２とカバー部１３との間の左乳房近傍に、左授乳口１４Ｂが形成される。衣料本体部４３は、左右の乳房近傍に授乳口１４を形成することにより、乳房を露出可能とする。授乳口１４の位置や大きさは、適宜変更されても良い。
【００２６】
後身頃部４２は、授乳者の後上半身を覆い、右前身頃部１１、左前身頃部１２、袖身頃部４１および連結部３０に縫着する。また袖身頃部４１は、授乳者の右腕を覆う右袖身頃部４１Ａと、左腕を覆う左袖身頃部４１Ｂを有する。右袖身頃部４１Ａは、右前身頃部１１および後身頃部４２に縫着し、左袖身頃部４１Ｂは、左前身頃部１２および後身頃部４２に縫着する。
【００２７】
連結部３０は、衣料本体部４３のウエスト部分に位置し、前側で前身頃部１０およびケープ部２０の下端に連結するとともに、後側で後身頃部４２の下端に連結する。図１に示すように、連結部３０は、衣料本体部４３の下端に位置するベルト状に形成されるので、授乳服１の美観を損なうことなく、ケープ部２０と衣料本体部４３とを連結する。
【００２８】
連結部３０は、袋状に縫製されており、連結部３０の中に紐が通される。授乳者の臍位置の近傍で、連結部３０の内部から紐の両端が露出される。授乳者は、妊娠中や授乳中などの授乳者の体型にあわせて露出される紐の長さを調節し結ぶことにより、衣料本体部４３のウエストの幅を調節しても良い。
【００２９】
図４に示すように、授乳者は授乳する際、授乳口１４Ｂを開くとともに、前ボタン部１５を開き、左乳房の乳頭を、衣料本体部４３より外部に露出する。授乳者は、乳児の頭部を覆うようにケープ部２０を配置し、乳房近傍をケープ部２０で覆い、外側から授乳中の乳房近傍や、授乳中の開いた授乳口１４を隠す。
【００３０】
（ケープ部）
次に、ケープ部２０を詳述する。ケープ部２０は、図１に示すように、ケープ本体部２３、下部側連結部２１および上部側係止部２２（首掛け部２８）を備える。
【００３１】
ケープ本体部２３は、少なくとも授乳時に、衣料本体部４３に設けられた授乳口１４を覆う。ケープ本体部２３は、授乳時に、衣料本体部４３との間に、授乳中の乳児が収まる空間を緩く形成する程度にゆとりをもつ長さで、かつ幅広に形成される。またケープ本体部２３は、授乳により開口した授乳口１４を覆うように形成される。ケープ部本体部２３は、乳児の頭部のほぼ全体を覆うことにより、授乳される乳児の口近辺、授乳口１４から露出した授乳者の肌や乳房を隠すことを可能とする。ケープ本体部２３は、乳児の全体を収める必要はなく、少なくとも、授乳される乳児の口近辺や、授乳口１４から露出した乳房が覆われれば良い。
【００３２】
下部側連結部２１は、ケープ本体部２３の下部に設けられる。下部側連結部２１は、衣料本体部４３の下部側の連結部３０に連結される。本発明の実施の形態において下部側連結部２１は、連結部３０と縫着されている場合を説明するが、これに限られない。少なくとも授乳時に下部側連結部２１が連結部３０に連結されていれば良い。下部側連結部２１は、例えば、ファスナー、ボタンなどにより、連結部３０と連結可能となっていても良い。また、下部側連結部２１を連結部３０と連結可能とすることで、ケープ部２０は、衣料本体部４３から着脱可能となる。
【００３３】
ケープ部２０は、さらに、前身頃部１０および後身頃部４２に縫着するケープサイド連結部２４（２４ａおよび２４ｂ）を設けても良い。ケープサイド連結部２４は、ケープ部２０の左右の両端の下部側連結部２１から上方に連続した位置に設けられる。ケープ部２０は、下部連結部２３およびケープサイド連結部４３において衣料本体部４３とコの字型に連結し、袋状に形成されるので、授乳者の動作や風などによりケープ部２０がめくれ、乳房が露出するのを防ぐ。
【００３４】
ケープ部２０が衣料本体部４３から着脱可能な場合、ケープサイド連結部２４もファスナーやボタンなどにより、衣料本体部４３と連結可能に形成する。下部側連結部２１およびケープサイド連結部２４を連結部３０と連結可能とすることで、ケープ部２０は、衣料本体部４３から着脱可能となる。
【００３５】
図１および図２等に示すように、右ケープサイド連結部２４Ａは、ケープ部２０の右下端に設けられ、右前身頃部１１および後身頃部４２を縫着する脇縫い位置で衣料本体部４３に縫着する。ケープ部２０の下部側連結部２１から、右ケープサイド連結部２４Ａの上端２４Ｃまでは、１０ないし１５センチ程度の長さを有する。左ケープサイド連結部２４Ｂも同様である。
【００３６】
本発明の実施の形態においては、ケープサイド連結部２４が、脇縫い位置で縫着する場合を説明するが、これに限られない。例えば、ケープサイド連結部２４は、前身頃部１１および後身頃部４２のうちのいずれかで縫着しても良い。また、ケープサイド連結部２４が、下部側連結部２１から上方に連続した位置に設けられる場合を説明するが、これに限られない。例えば、ケープサイド連結部２４は、下部側連結部２１から、少し離れた位置から上方に連続して、設けられても良い。
【００３７】
図５は、図１に示す授乳服１において、右ケープサイド連結部２４Ｂの上端２４Ｃと左ケープサイド連結部２４Ｂの上端２４Ｄとを結ぶ線で、ケープ部２０を折り返した状態を示す。ケープサイド連結部２４Ａおよび２４Ｂのそれぞれの上端２４Ｃおよび２４Ｄが、授乳口１４の下端よりも下に位置するため、ケープ部２０と衣料本体部４３との間に程良い一体感を持たせている。
【００３８】
ケープサイド連結部２４を設けた授乳服１を、ケープ部２０を例えば首後に係止することなく着用すると、図６に示すように、右ケープサイド連結部２４Ａの上端２４Ｃおよび左ケープサイド連結部２４Ｂの上端２４Ｄで、ケープ部２０が下側に折り返される。上端２４Ｃおよび２４Ｄに、縫い止まりの補強のためのかんぬき止め、もしくは、かんぬい止めなどが設けられても良い。なお、ケープサイド連結部２４は、ケープ部２０内に乳児を収め、授乳可能であればどのような位置および長さでも良い。
【００３９】
ケープ部２０の上部側係止部２２を詳述する。上部側係止部２２は、ケープ本体部２３の上部に設けられ、少なくとも授乳時に、乳房より上部側で係止される。図４に示すように、ケープ部２０の下部側連結部２１が衣料本体部４３の連結部３０に連結され、上部側係止部２２が授乳口１４の上端１４Ｃより上部側で係止されるので、ケープ本体部２３で授乳口１４を隠すことを可能とする。また、ケープ部２０がゆとりを有することにより、ケープ本体部２０と衣料本体部４３との間に、授乳中の乳児が収まる空間を形成することを可能とする。ケープ部２０は、少なくとも授乳中に、乳房より上部側で所望の箇所に係止されればよく、授乳中以外は、係止されなくても良い。
【００４０】
本発明の実施の形態に係る授乳服１において、ケープ部２０が、授乳者の首後部に掛けるための首掛け部２８を有し、上部側係止部２２は、首掛け部２８である。この首掛け部２８を授乳者の頭に通すことにより、図７に示すように、ケープ部２０の授乳者の首後から肩に対応する位置に、上部側係止部２２が設けられる。
【００４１】
図８を参照して、本発明の実施の形態に係る授乳服１の、縫着前のケープ部２０を詳述する。縫着前のケープ部２０は、左右に分かれた帯状部を含む、略Ｙ字の形状を有する。左右の帯状部の先端２７Ａおよび２７Ｂを縫着することにより、上部側係止部２２（首掛け部２８）を形成する。さらに左右の帯状部の先端２７Ａおよび２７Ｂを縫着した際の環状の内周部が、ケープ部２０のケープ首周り周縁部２５を形成する。
【００４２】
ケープ本体部２３は、ケープ部２０の授乳者の前上半身部分を覆う部分である。ケープ部２０の下端に、衣料本体部４３の連結部３０に連結する下部側連結部２１が設けられ、ケープ部２０の両サイドの下端に、ケープサイド連結部２４が設けられる。上部側係止部２２は、左右の帯状部の先端２７Ａおよび右端の辺２７Ｂから基端側の所望範囲２２Ａおよび２２Ｂにより形成される。この上部側係止部２２の範囲は、左右の帯状部の先端２７Ａおよび２７Ｂを縫着した際の環状部分が、授乳者の首から肩に接し、ケープ部２０を係止する部分に相当する。
【００４３】
ここで、ケープ部２０は、縦方向および横方向にゆとりを持ったサイズで形成される。具体的には、図１および図２に示すように、ケープ部２０の下部側連結部２１からケープ部２０のケープ首周り周縁部２５の端縁部２５Ａまでの長さは、衣料本体部４３の連結部３０から衣料本体部４３の授乳口１４の上端部１４Ｃまでの長さより、長い。下部側連結部２１からケープ首周り周縁部２５の端縁部２５Ａまでの長さは、ケープ部２０と衣料本体部４３との間に乳児を収めた状態において、授乳口１４の上端部１４Ｃを覆う長さであるように形成される。これにより、授乳者が着用した際、図３に示すように、授乳者の前上半身部分において、ケープ部２０の縦方向にゆとりを持たせ、ケープ部２０の下部分に、横方向のドレープを形成可能とし、乳児の体を緩く収める空間を形成する。
【００４４】
ケープ部２０の授乳者の左右いずれか一方の肩に対応する部分の長さは、衣料本体部４３の肩縫い部の長さよりも長く形成される。図１は、衣料本体部４３の右前身頃部１１の肩縫い部分を破線で示す。また、図１および図８は、授乳服１を平置きした状態で、ケープ部２０が衣料本体部４３の肩縫い部と一致する部分を、二点鎖線の仮想線で示し、この部分をケープ肩対応部５１とする。ここで、ケープ肩対応部５１の長さＬ１は、右前身頃部１１の肩縫い部分の長さｌより長い。また、ケープ肩対応部５１の長さＬ１は、授乳者の首の付け根から肩の先までの長さより長くても良い。これにより、授乳者が着用した際、授乳者の肩近傍において、ケープ部２０の横方向にゆとりを持たせ、ケープ部２０の上部分に、縦方向のドレープを形成可能とし、特に乳児の頭部を収める空間を形成する。
【００４５】
またケープ部２０の左右の帯状部はそれぞれ、基端から先端にかけて幅が広くなり、略扇状に形成される。図３および図８は、ケープ部２０の首掛け部２８を授乳者の首にかけた状態で、ケープ部２０が衣料本体部４３の肩縫い部と接する部分を、破線の仮想線で示し、この部分をケープ肩着接部５２とする。ケープ肩着接部５２は、図３に示すようにケープ部２０の首掛け部２８を授乳者の首にかけた際に生じる縦方向のゆとりにより、ケープ肩対応部５１から先端方向にずれて設けられる。ケープ肩着接部５２の長さＬ２は、ケープ肩対応部５１の長さＬ１より長い。また、ケープ肩着接部５２の長さＬ２は、授乳者の首の付け根から肩の先までの長さより長くても良い。ケープ肩着接部５２の長さＬ２は、衣料本体部４３または授乳者側にケープ肩着接部５２が着接する部分の長さ（図３の参照番号５２が示す破線部分の長さ）より、長ければ良い。この結果、授乳者の肩近傍において、縦方向の豊かなドレープを形成可能とする。
【００４６】
なお、図８に示すケープ肩対応部５１およびケープ肩着接部５２の位置や長さは、着用スタイルやケープ部２０の巻き方によって、異なる場合がある。授乳者の肩近辺でケープ部２０が、授乳中の乳房近辺や乳児の頭部を収める空間を形成し、授乳により開口した授乳口１４を覆うことのできる程度に縦方向にゆとりを形成可能であれば良い。
【００４７】
このように縦方向および横方向にゆとりのあるケープ部２０は、下部側連結部２１と上部側係止部２２で、衣料本体部４３に配設される。この結果、ケープ本体部２３と衣料本体部４３との間に、授乳中の乳児が収まる空間を形成する。
【００４８】
また図４に示すように、授乳時に、衣料本体部４３の首周り周縁部４４と、ケープ部２０のケープ首周り周縁部２５との間に、乳児を視認するための開口部２６が形成可能となる。授乳時以外には図３に示すように、ケープ部２０の内部に空間が形成されず、ドレープ形状を保持するので、授乳服１の前中心の首繰り部分２６Ａは、開口しない。一方授乳時には図４に示すように、ケープ部２０で乳児を覆うため、ドレープがなくなりケープ部２０が乳児の体により引っ張られる。これにより、授乳服１の前中心の首繰り部分に、授乳者の身体から離反する前方向に開いた開口部２６が形成される。この開口部２６によって、授乳者は乳児の様子を上方から確認することができる。また、この開口部２６は、授乳者の首から胸元の位置に上方に向かって形成されるため、授乳者以外の者から、内部を覗くことを防ぐことができる。
【００４９】
授乳中に形成された開口部２６は、ケープ部２０の首周り周縁部２５を、乳児の頭部や授乳者の体に沿って設けることにより、授乳中であっても、開口部２６を閉口状態に切り替えても良い。授乳者は、授乳中に乳児を視認する際、ケープ部２０の首まわり周縁部２５を外側に向けて開いて開口部２６を形成し、乳児の視認が終了した後、閉口状態に切り替え、授乳者以外の者からの視線を防いでも良い。
【００５０】
ケープ部２０は、ゆとりを有し、連結部３０においてウエストの幅を調節可能であるので、授乳服１は、授乳中のみならず、産前も好適である。本発明の実施の形態に係る授乳服１によって、マタニティ期間の体型を隠すとともに、産前から授乳期間中と、長期間にわたって着用することができ、コストパフォーマンスが向上する。
【００５１】
（第１の変形例）
本発明の実施の形態において、縫着により、ケープ部２０の首掛け部２８を形成する場合を説明したが、これに限られない。第１の変形例に係る授乳服１Ａは、図９に示すように、留め具により、ケープ部２０の首掛け部２８を形成する。図９（ａ）は、授乳服１Ａの首掛け部２８の内側を示し、図９（ｂ）は、授乳服１Ａのケープ部２０を折り返すことで、首掛け部２８の外側を示す。
【００５２】
図８を参照して説明した様に、本発明の実施の形態において、ケープ部２０の左右に分かれた帯状部の先端２７Ａおよび２７Ｂを縫着する。これに対し第１の変形例において、授乳服１Ａは、この先端２７Ａおよび２７Ｂに、少なくとも一つのボタンホールと、このボタンホールに対応する少なくとも一つのボタンを、それぞれ設ける。
【００５３】
図９（ａ）に示すように、第１の変形例に係る授乳服１Ａの首掛け部２８の内側に、６つのボタン縫いつけ部が設けられる。また図９（ｂ）に示すように、授乳服１Ａの首掛け部２８の外側に、６つのボタンが設けられる。ケープ部２０の首掛け部２８の外側のボタンにより、よりデザイン性の高い授乳服１Ａを提供することができる。なお、ケープ部２０の首掛け部２８を形成するための留め具は、ボタンのほか、ファスナー、ホックなどでも良い。
【００５４】
第１の変形例において、授乳服１Ａの首掛け部２８を、留め具により形成するので、ケープ部２０の帯状部の先端２７Ａおよび２７Ｂは、開閉可能となる。そこで、ケープ部２０の先端２７Ａおよび２７Ｂを、授乳者の左右サイドに開くことで、図１０に示すように、ケープ部２０を、授乳者の腰の位置に配設しても良い。
【００５５】
図１０（ａ）は、第１の変形例に係る授乳服１Ａのケープ部２０を、授乳者の腰の位置に配設した際の正面図で、図１０（ｂ）は、背面図である。図１０（ａ）に示すように、授乳者は、ケープ部２０を、右ケープサイド連結部２４Ａの上端２４Ｃおよび左ケープサイド連結部２４Ｂの上端部２４Ｄを結ぶ線において、授乳者の前側で折り返す。また、図１０（ｂ）に示すように、ケープ部２０の左右の帯状部の先端２７Ａおよび２７Ｂを、授乳者の後側の腰回り位置で留める。
【００５６】
上記のようにケープ部２０の先端２７Ａ、２７Ｂを左右に開くと、ケープ部２０を左右に開かない場合に比べて腰回りにケープ部２０を巻きつけ易く、ケープ部２０を腰巻にした着用状態での着用に好適である。なお、この場合には、上部側係止部２２の取り付け位置は、ケープ部２０が腰巻状態でずり落ちない位置でも、首掛け部２８を形成する状態でもケープ部２０が係止可能な位置となるように調節することが好ましい。このため、上部側係止部２２がケープ部２０を係止する位置を複数設定するようにしてもよい。
【００５７】
例えば、寒い時期は、図３に示すようにケープ部２０を授乳者の前上半身に配設し、暑い時期は、図１０に示すように衣料本体部４３と重複しないように、ケープ部２０を授乳者の腰の位置に配設しても良い。授乳者は、授乳時以外は、ケープ部２０の配設位置を変更して、体感温度を調節することが可能となる。
【００５８】
図１０において乳者の腰の位置にケープ部２０を配設する場合を示したが、これに限られず、ケープ部２０の配設位置を、適宜変更しても良い。また、図１０においては、ケープ部２０が、右ケープサイド連結部２４Ａおよび左ケープサイド連結部２４Ｂを設け、上端部２４Ｃおよび２４Ｄを結ぶ線でケープ部２０を折り返す場合を説明したがこれに限られない。例えば、ケープ部２０が、左右サイドで衣料本体部４３に連結しない場合、授乳者は、ケープ部２０を、連結部３０において、授乳者の前側で折り返しても良い。
【００５９】
（第２の変形例）
本発明の実施の形態において、ケープ部２０の上部側係止部２２が首掛け部２８である場合を説明したが、これに限られない。第２の変形例に係る授乳服１Ｂにおいて、上部側係止部２２は、図１１に示すように、授乳者の両肩の位置に設けられた適宜の留め具により形成される。ケープ部２０の授乳者の肩に配設される部分の幅は、衣料本体部４３において上部側係止部２２により係止される部分の幅よりも広いので、上部側係止部２２において、ケープ部２０にギャザーが設けられる。これにより、授乳者が着用した際、図１０に示すように、ケープ部２０の授乳者の肩近傍に縦方向にゆとりを持たせ、ケープ部２０の上部分に、横方向のドレープを形成可能とする。
【００６０】
図１１において、左右の両肩にそれぞれ上部側係止部２２Ｅおよび２２Ｆを設けたが、少なくとも１点で係止されれば良い。例えば、左右どちらかの肩に上部側係止部２２が設けられても良い。また、上部側係止部２２Ｅおよび２２Ｆのそれぞれに、３つのボタンを設ける場合を説明したが、留め具の数はこれに限らない。またケープ部２０の上部側係止部２２を形成するための留め具は、ボタンのほか、ファスナー、ホックなどでも良い。
【００６１】
（第３の変形例）
本発明の実施の形態において、ケープ部２０の上部側係止部２２が首掛け部２８である場合を説明したが、これに限られない。第３の変形例に係る授乳服１Ｃにおいて、上部側係止部２２が肩掛け部２９である場合を説明する。
【００６２】
図１２（ａ）は、第３の変形例に係る授乳服１Ｃを、授乳者が着用した際の正面図で、図１２（ｂ）は、背面図である。図１２（ａ）に示す様に、授乳者は、ケープ部２０の首掛け部２８を左肩に通して着用することにより、上部側係止部２２を肩掛け部２９により形成する。図１２に示すように、授乳者の左肩に肩掛け部２９を設けることにより、授乳者の左サイドにケープ部２０の布地をより多く集めることができるので、左側の授乳に好適である。
【００６３】
なお、授乳者の右肩に肩掛け部２９を設ける場合も同様である。第３の変形例においても、第１の変形例と同様に、肩掛け部２９を、ボタンなどの留め具によって形成しても良い。
【００６４】
（第４の変形例）
本発明の実施の形態において、ケープ部２０が授乳者の前に設けられる場合を説明したが、これに限られない。第４の変形例に係る授乳服１Ｄにおいて、ケープ部２０は、図１３に示すように、授乳者の前上半身に設けられる前ケープ部２０Ａと、授乳者の後上半身に設けられる後ケープ部２０Ｂとを備える。
【００６５】
前ケープ部２０Ａおよび後ケープ部２０Ｂは、それぞれ前ケープ下部側連結部２１Ａおよび後ケープ２１Ｂを備える。前ケープ下部側連結部２１Ａは、衣料本体部４３の連結部３０の前部分に連結する。後ケープ下部側連結部２１Ｂは、衣料本体部４３の連結部３０の後部分に連結する。さらに前ケープ部２０Ａおよび後ケープ部２０Ｂは、それぞれ上部側係止部２２Ａおよび２２Ｂを備える。上部側係止部２２Ａおよび２２Ｂは、衣料本体部４３の肩縫い位置近傍で係止される。図１３に示すように、授乳者の左肩で、上部側係止部２２Ａおよび２２Ｂが係止されることにより、授乳者の左サイドにケープ部２０の布地をより多く集めることができるので、左側の授乳に好適である。
【００６６】
なお、授乳者の右肩で、上部側係止部２２Ａおよび２２Ｂが係止される場合も同様である。
【００６７】
（第５の変形例）
本発明の実施の形態において、授乳者の前上半身を覆うケープ部２０を１枚の布で形成する場合を説明したが、これに限られない。例えば、図１４に示すように、ケープ部２０を２枚の三角形状の布２３Ａおよび２３Ｂで形成し、カシュクールの上半身用衣料としても良い。ケープ部２０を形成する１枚の布２３Ａは、衣料本体部４３の連結部３０を底辺とし、右肩近傍を先端２２Ｇとする三角形状を形成し、もう１枚の布２３Ｂは、衣料本体部４３の連結部３０を底辺とし、左肩近傍を先端２２Ｈとする三角形状を形成する。
【００６８】
この２枚の布２３Ａおよび２３Ｂのそれぞれの先端２２Ｇおよび２２Ｈは、乳房より上部側の２点で係止されることにより、上部側係止部２２を形成する。三角形状の先端２２Ｇおよび２２Ｈで係止する方法としては、図１４で示したようなボタン等の留め具で止める方法が考えられる。
【００６９】
また他の例として、図１５（ａ）に示すように、２枚の布２３Ｃおよび２３Ｄの先端に、帯状部２２Ｉおよび２２Ｊをそれぞれ設け、授乳者の首後で帯状部２２Ｉおよび２２Ｊを連結することにより、ホルターネック形状の上部側係止部２２を形成しても良い。この帯状部２２Ｉおよび２２Ｊの連結方法としては、図１５（ｂ）に示すように、これらの帯状部２２Ｉおよび２２Ｊを結ぶ方法が考えられる。また、図３で示したように、帯状部２２Ｉおよび２２Ｊを縫着して首にかけても良いし、図９に示したように帯状部２２Ｉおよび２２Ｊに留め具を設けて首にかけても良い。
【００７０】
以上、ケープ部２０を２枚の布で形成する場合を説明したが、ケープ部２０を３枚以上の布で形成しても良いことはもちろんである。また、ケープ部２２の上部側係止部２２の形成方法に伴って、ケープ部２０を構成する布の形状が異なっても良い。
【００７１】
（その他の実施の形態）
上記のように、本発明の実施の形態とその第１ないし第５の変形例によって記載したが、この開示の一部をなす論述および図面はこの発明を限定するものであると理解すべきではない。この開示から当業者には様々な代替実施の形態、実施例および運用技術が明らかとなる。
【００７２】
例えば、本発明の実施の形態に記載した授乳服１において、授乳口１４が縦方向に設けられる場合を説明したが、横方向に設けられても良い。また、ケープ部２０は、授乳服１に縫着される場合を説明したが、ファスナーやボタンなどの留め具により着脱可能としても良い。さらに、授乳服１を構成する各パーツを縫着により連結する場合を説明したが、接着などにより連結しても良い。
【００７３】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７４】
１  授乳服
１０  前身頃部
１１  右前身頃部
１２  左前身頃部
１３  カバー部
１４  授乳口
１５  前ボタン部
２０  ケープ部
２１  下部側連結部
２２  上部側係止部
２３  ケープ本体部
２４  ケープサイド連結部
２５  ケープ首周り周縁部
２６  開口部
２７  肩配設部
２８  首掛け部
２９  肩掛け部
３０  連結部
４１  袖身頃部
４２  後身頃部
４３  衣料本体部
４４  首周り周縁部
５１  ケープ肩対応部
５２  ケープ肩着接部
【図１】
2014156663.tif 000003
【図２】
2014156663.tif 000004
【図３】
2014156663.tif 000005
【図４】
2014156663.tif 000006
【図５】
2014156663.tif 000007
【図６】
2014156663.tif 000008
【図７】
2014156663.tif 000009
【図８】
2014156663.tif 000010
【図９】
2014156663.tif 000011
【図１０】
2014156663.tif 000012
【図１１】
2014156663.tif 000013
【図１２】
2014156663.tif 000014
【図１３】
2014156663.tif 000015
【図１４】
2014156663.tif 000016
【図１５】
2014156663.tif 000017